(57)【要約】    【課題】      余分なメッセージのやりとりを行わず、すなわち、余分なＣＰＵ資源及びネットワーク帯域資源を浪費せずに、アクセスポイント装置の統計情報を伝達できること。    【解決手段】  複数のアクセスポイント装置１０１−１〜１０１−３の各々は、セッション維持メッセージをアクセスポイント制御装置１０２に送信する時に統計情報を同時にアクセスポイント制御装置１０２に報知する。アクセスポイント制御装置１０２は、前記統計情報を受けた時に保持し、ネットワーク管理装置１０３からアクセスポイント装置の前記統計情報を取得する要求である統計情報取得要求を受けた時に前記アクセスポイント装置から受けた前記統計情報をネットワーク管理装置１０３に報知する。  【選択図】      図１
2006025364.tif 000002
【特許請求の範囲】
【請求項１】
複数のアクセスポイント装置と、前記複数のアクセスポイント装置にメッセージを送信して前記複数のアクセスポイント装置を制御するアクセスポイント制御装置と、前記アクセスポイント制御装置にメッセージを送信して前記アクセスポイント制御装置を管理するネットワーク管理装置と、を具備するアクセスポイント制御システムにおいて、
前記複数のアクセスポイント装置の各々は、
セッション維持メッセージを前記アクセスポイント制御装置に送信する時に統計情報を同時に前記アクセスポイント制御装置に報知する統計情報同時報知手段を具備し、
前記アクセスポイント制御装置は、
前記統計情報を受けた時に保持する統計情報保持手段と、
前記ネットワーク管理装置から前記アクセスポイント装置の前記統計情報を取得する要求である統計情報取得要求を受けた時に前記アクセスポイント装置から受けた前記統計情報を前記ネットワーク管理装置に報知する統計情報報知手段と、
を具備することを特徴とするアクセスポイント制御システム。
【請求項２】
複数のアクセスポイント装置と、前記複数のアクセスポイント装置にメッセージを送信して前記複数のアクセスポイント装置を制御するアクセスポイント制御装置と、前記アクセスポイント制御装置にメッセージを送信して前記アクセスポイント制御装置を管理するネットワーク管理装置と、を具備するアクセスポイント制御システムにおけるアクセスポイント制御方法であって、
前記複数のアクセスポイント装置の各々がセッション維持メッセージを前記アクセスポイント制御装置に送信する時に統計情報を同時に前記アクセスポイント制御装置に報知する統計情報同時報知ステップと、
前記アクセスポイント制御装置が前記統計情報を受けた時に保持する統計情報保持ステップと、
前記アクセスポイント制御装置が前記ネットワーク管理装置から前記アクセスポイント装置の前記統計情報を取得する要求である統計情報取得要求を受けた時に前記アクセスポイント装置から受けた前記統計情報を前記ネットワーク管理装置に報知する統計情報報知ステップと、
を具備することを特徴とするアクセスポイント制御方法。
【発明の詳細な説明】
【技術分野】
【０００１】
本発明は、アクセスポイント装置にメッセージを送信してアクセスポイント装置を制御するアクセスポイント制御システム及びアクセスポイント制御方法に関する。
【背景技術】
【０００２】
近年、無線ＬＡＮなどのアクセスポイント装置を、個々に管理するのではなく、１つのアクセスポイント制御装置で集中して管理するネットワークシステムが提案されている。このネットワークシステムは、管理者が個々のアクセスポイント装置に対して個別に設定を行うのではなくアクセスポイント制御装置に対して設定を行うだけで、その後には自動的にアクセスポイント制御装置がアクセスポイント装置を制御する。
【０００３】
このネットワークシステムは、アクセスポイント装置を単純なものにすることができるため安価になり、かつ、網管理者の管理負荷が軽減できるという効果がある。このアクセスポイント制御装置とアクセスポイント装置との間の制御プロトコルとして、ＬＷＡＰＰ（Light Weight Access Point Protocol）というものがある。
【０００４】
ＬＷＡＰＰでは、アクセスポイント制御装置はアクセスポイントの生存確認を常に行い、セッションの維持を行っている。セッションの維持処理は、アクセスポイント装置が定期的に送出するセッション維持メッセージ（Echo Requestメッセージ）を、アクセスポイント制御装置が受信することによって実現されている。
【０００５】
外部に設置されたネットワーク管理装置が、主に、アクセスポイント装置の統計情報（カウンタ情報など）を収集する。ＬＷＡＰＰのフレームワークにおいては、ネットワーク管理装置からアクセスポイント装置の統計情報を要求するメッセージが送られてきた場合、アクセスポイント制御装置は、管理する全アクセスポイント統計情報から該当するアクセスポイントの統計情報を抽出し、ネットワーク管理装置へその統計情報を伝達する。アクセスポイント装置は、定期的に、管理する統計情報を埋め込んだ統計情報伝達メッセージ（Statistics Report）をアクセスポイント制御装置へ送信する。
【０００６】
従来のアクセスポイント制御システムとして、図１０に示すものがある（非特許文献１参照）。図１０に示すように、従来のアクセスポイント制御システムは、複数のアクセスポイント装置１１−１〜１１−３と、アクセスポイント装置１１−１〜１１−３にメッセージを送信して複数のアクセスポイント装置１１−１〜１１−３を制御するアクセスポイント制御装置１２と、アクセスポイント制御装置１２にメッセージを送信してアクセスポイント制御装置１２を管理するネットワーク管理装置１３と、を具備する。
【０００７】
アクセスポイント装置１１−１は、通信端末装置１４−１、１４−２と通信可能である。アクセスポイント装置１１−２は、通信端末装置１４−３と通信可能である。アクセスポイント装置１１−３は、通信端末装置１４−４と通信可能である。
【０００８】
図１１に示すように、アクセスポイント装置１１−１〜１１−２は、周期的にセッション維持メッセージをアクセスポイント制御装置１２に送信している。また、図１１に示すように、アクセスポイント装置１１−１〜１１−２は、周期的に統計情報伝達メッセージをアクセスポイント制御装置１２に送信している。
【０００９】
アクセスポイント制御装置１２は、ネットワーク管理装置１３からアクセスポイント装置１１−１の（ａ）統計情報取得要求を受けた時に、アクセスポイント制御装置１２が管理しているアクセスポイント装置１１−１の統計情報をネットワーク管理装置１３に報知する。  
【非特許文献１】internet-draft「Light Weight Access Point Protocol (ＬＷＡＰＰ)」 http://www.ietf.org/internet-drafts/draft-ohara-capwap-ＬＷＡＰＰ-00.txt
【発明の開示】
【発明が解決しようとする課題】
【００１０】
しかしながら、従来のアクセスポイント制御システムにおいては、ネットワーク管理装置がアクセスポイント装置の統計情報を取得するためには、アクセスポイント装置とアクセスポイント制御装置の間で統計情報を伝達するメッセージのやりとりが必要であるため、アクセスポイント制御装置とアクセスポイント装置の間のネットワーク帯域資源とアクセスポイント装置とアクセスポイント制御装置のＣＰＵ資源を浪費してしまうという問題がある。
【００１１】
本発明は、かかる点に鑑みてなされたものであり、余分なメッセージのやりとりを行わず、すなわち、余分なＣＰＵ資源及びネットワーク帯域資源を浪費せずに、アクセスポイント装置の統計情報を伝達できるアクセスポイント制御システム及びアクセスポイント制御方法を提供することを目的とする。
【課題を解決するための手段】
【００１２】
本発明の第１の特徴は、複数のアクセスポイント装置と、前記複数のアクセスポイント装置にメッセージを送信して前記複数のアクセスポイント装置を制御するアクセスポイント制御装置と、前記アクセスポイント制御装置にメッセージを送信して前記アクセスポイント制御装置を管理するネットワーク管理装置と、を具備するアクセスポイント制御システムにおいて、前記複数のアクセスポイント装置の各々が、セッション維持メッセージを前記アクセスポイント制御装置に送信する時に統計情報を同時に前記アクセスポイント制御装置に報知する統計情報同時報知手段を具備し、前記アクセスポイント制御装置が、前記統計情報を受けた時に保持する統計情報保持手段と、前記ネットワーク管理装置から前記アクセスポイント装置の前記統計情報を取得する要求である統計情報取得要求を受けた時に前記アクセスポイント装置から受けた前記統計情報を前記ネットワーク管理装置に報知する統計情報報知手段と、を具備する構成を採る。
【００１３】
本発明の第２の特徴は、複数のアクセスポイント装置と、前記複数のアクセスポイント装置にメッセージを送信して前記複数のアクセスポイント装置を制御するアクセスポイント制御装置と、前記アクセスポイント制御装置にメッセージを送信して前記アクセスポイント制御装置を管理するネットワーク管理装置と、を具備するアクセスポイント制御システムにおけるアクセスポイント制御方法であって、前記複数のアクセスポイント装置の各々がセッション維持メッセージを前記アクセスポイント制御装置に送信する時に統計情報を同時に前記アクセスポイント制御装置に報知する統計情報同時報知ステップと、前記アクセスポイント制御装置が前記統計情報を受けた時に保持する統計情報保持ステップと、前記アクセスポイント制御装置が前記ネットワーク管理装置から前記アクセスポイント装置の前記統計情報を取得する要求である統計情報取得要求を受けた時に前記アクセスポイント装置から受けた前記統計情報を前記ネットワーク管理装置に報知する統計情報報知ステップと、を具備するようにした。
【発明の効果】
【００１４】
本発明によれば、アクセスポイント制御装置とアクセスポイント装置とからなるシステムを維持するに必須なメッセージであるセッション維持メッセージと共にアクセスポイント装置が統計情報をアクセスポイント制御装置に送るから、余分なメッセージのやりとりを行わず、すなわち、余分なＣＰＵ資源及びネットワーク帯域資源を浪費せずに、アクセスポイント装置の統計情報を伝達できる。
【発明を実施するための最良の形態】
【００１５】
次に、本発明の実施の形態について、図面を参照して詳細に説明する。
【００１６】
（一実施の形態）
図１は、本発明の一実施の形態に係るアクセスポイント制御システムの構成を示す図である。図１に示すように、本発明の一実施の形態に係るアクセスポイント制御システム１００は、複数のアクセスポイント装置１０１−１〜１０１−３と、アクセスポイント装置１０１−１〜１０１−３にメッセージを送信して複数のアクセスポイント装置１０１−１〜１０１−３を制御するアクセスポイント制御装置１０２と、アクセスポイント制御装置１０２にメッセージを送信してアクセスポイント制御装置１０２を管理するネットワーク管理装置１０３と、を具備する。
【００１７】
アクセスポイント装置１０１−１は、通信端末装置１０４−１、１０４−２と通信可能である。アクセスポイント装置１０１−２は、通信端末装置１０４−３と通信可能である。アクセスポイント装置１０１−３は、通信端末装置１０４−４と通信可能である。
【００１８】
複数のアクセスポイント装置１０１−１〜１０１−３の各々は、セッション維持メッセージをアクセスポイント制御装置１０２に送信する時に統計情報を同時にアクセスポイント制御装置１０２に報知する。アクセスポイント制御装置１０２は、統計情報を受けた時に保持し、ネットワーク管理装置１０３からアクセスポイント装置１０１−１〜１０１−３の各々の統計情報を取得する要求である統計情報取得要求を受けた時にアクセスポイント装置１０１−１〜１０１−３の各々のから受けた統計情報をネットワーク管理装置１０３に報知する。
【００１９】
すなわち、アクセスポイント制御装置１０２は、全アクセスポイント装置１０１−１〜１０１−３の統計情報を集中（一括）して管理している。
【００２０】
アクセスポイント装置１０１−１〜１０１−３は、アクセスポイント単体の統計情報を、定期的にセッション維持メッセージに乗せてアクセスポイント制御装置１０２に報知している。
【００２１】
ネットワーク管理装置１０３からの統計情報取得要求を受けたアクセスポイント制御装置１０２は、自身が管理しているアクセスポイント装置１０１−１〜１０１−３の全体の統計情報テーブルから該当する統計情報をピックアップして、ネットワーク管理装置１０３に通知する。
【００２２】
次に、本発明の一実施の形態に係るアクセスポイント制御システム１００の動作の具体例について、図１と共に図２及び図３を参照してより詳細に説明する。
【００２３】
図２は、本発明の一実施の形態に係るアクセスポイント制御システム１００の統計情報取得処理を示すシーケンス図である。図３は、本発明の一実施の形態に係るアクセスポイント制御システム１００において用いられるセッション維持メッセージのフレームフォーマットを示す図である。
【００２４】
図２に示すように、ステップＳＴ２０１においてアクセスポイント装置１０１−１は、（ａ）統計情報を抽出してセッション維持メッセージに乗せてアクセスポイント制御装置１０２に報知する。
【００２５】
次に、ステップＳＴ２０２においてアクセスポイント制御装置１０２は保持している統計情報を更新する。ステップＳＴ２０３においてアクセスポイント装置１０１−２は、（ｂ）統計情報を抽出してセッション維持メッセージに乗せてアクセスポイント制御装置１０２に報知する。次に、ステップＳＴ２０４においてアクセスポイント制御装置１０２は保持している統計情報を更新する。
【００２６】
次に、ネットワーク管理装置１０３は、（ａ）統計情報を取得するための統計情報取得要求をアクセスポイント制御装置１０２に送る。次に、ステップＳＴ２０５においてアクセスポイント制御装置１０２は（ａ）統計情報を抽出して統計情報取得応答に乗せてネットワーク管理装置１０３に報知する。次に、ステップＳＴ２０６においてネットワーク管理装置１０３は、アクセスポイント装置１０１−１の（ａ）統計情報を取得する。
【００２７】
また、ステップＳＴ２０７においてアクセスポイント装置１０１−１は、（ａ）統計情報を抽出してセッション維持メッセージに乗せてアクセスポイント制御装置１０２に報知する。次に、ステップＳＴ２０８においてアクセスポイント装置１０１−２は、（ｂ）統計情報を抽出する。
【００２８】
図３に示すように、本発明の一実施の形態に係るアクセスポイント制御システム１００において用いられるセッション維持メッセージは、Ｅｔｈｅｒｎｅｔ（登録商標）ヘッダ、ＡＰ  Ｃｏｎｔｒｏｌヘッダ及びＡＰ  Ｃｏｎｔｒｏｌデータを有している。
【００２９】
次に、本発明の一実施の形態に係るアクセスポイント制御システム１００のアクセスポイント制御装置１０２について、詳細に説明する。図４は、本発明の一実施の形態に係るアクセスポイント制御システム１００のアクセスポイント制御装置１０２の構成を詳細に示すブロック図である。図５は、本発明の一実施の形態に係るアクセスポイント制御システム１００のアクセスポイント制御装置１０２の全アクセスポイント統計情報テーブルを示す図である。
【００３０】
図４に示すように、アクセスポイント制御装置１０２は、パケット受信部４０１、アクセスポイント制御パケット抽出部４０２、全アクセスポイント統計情報テーブル４０３、アクセスポイント制御パケット処理部４０４及びセッション維持処理管理部４０５を具備している。
【００３１】
パケット受信部４０１は、通信インタフェースからパケットを受信する。アクセスポイント制御パケット抽出部４０２は、受信パケットのヘッダ解析を行い、セッション維持メッセージであるか判定する。
【００３２】
全アクセスポイント統計情報テーブル４０３は、全てのアクセスポイント装置１０１−１〜１０１−３の統計情報を一括して管理している。
【００３３】
アクセスポイント制御パケット処理部４０４は、セッション維持メッセージのペイロードを解析し、アクセスポイント装置の統計情報を抽出し、全アクセスポイント統計情報テーブル４０３に保持（更新）させる。セッション維持処理管理部４０５は、アクセスポイント装置とのアクセスポイント管理セッションの維持を行う。
【００３４】
図５に示すように、全アクセスポイント統計情報テーブル４０３は、全てのアクセスポイント装置１０１−１〜１０１−３ごとにカウンタ種別及びＶａｌｕｅの情報を有している。
【００３５】
次に、本発明の一実施の形態に係るアクセスポイント制御システム１００のアクセスポイント装置１０１−１について、詳細に説明する。図６は、本発明の一実施の形態に係るアクセスポイント制御システム１００のアクセスポイント装置１０１−１の構成を詳細に示すブロック図である。図７は、本発明の一実施の形態に係るアクセスポイント制御システム１００のアクセスポイント装置１０１−１のアクセスポイント単体統計情報テーブルを示す図である。
【００３６】
図６に示すように、アクセスポイント装置１０１−１は、アクセスポイント単体統計情報テーブル６０１、セッション維持処理管理部６０２、統計情報取得部６０３、セッション維持メッセージ作成部６０４及びパケット送信部６０５を具備している。
【００３７】
アクセスポイント単体統計情報テーブル６０１は、アクセスポイント装置の単体の統計情報を管理している。セッション維持処理管理部６０２は、アクセスポイント制御装置１０２とのアクセスポイント管理セッションの維持を行う。
【００３８】
統計情報取得部６０３は、アクセスポイント単体統計情報テーブル６０１にアクセスしてアクセスポイントの統計情報を取得する。セッション維持メッセージ作成部６０４は、取得したアクセスポイント統計情報を埋め込んだセッション維持メッセージを作成する。パケット送信部６０５は、通信インタフェースにパケットを送信する。
【００３９】
図７に示すように、アクセスポイント単体統計情報テーブル６０１は、アクセスポイント装置の単体のカウンタ種別及びＶａｌｕｅの情報を有している。
【００４０】
次に、本発明の一実施の形態に係るアクセスポイント制御システム１００のアクセスポイント装置１０１−１がセッション維持メッセージを送信する場合の処理について、図面を参照して詳細に説明する。図８は、本発明の一実施の形態に係るアクセスポイント制御システム１００のアクセスポイント装置１０１−１がセッション維持メッセージを送信する場合の処理を示すフロー図である。
【００４１】
図８に示すように、ステップＳＴ８０１において、セッション維持処理管理部６０２は、セッション維持メッセージを送信するかを判断する。ステップＳＴ８０１においてセッション維持メッセージを送信する時には、統計情報取得部６０３は、アクセスポイント単体統計情報テーブル６０１を検索して、アクセスポイント制御装置１０２へ渡すパラメータ値を取得する（ステップＳＴ８０２）。
【００４２】
次に、セッション維持メッセージ作成部６０４は、取得したパラメータ値をセッション維持メッセージに埋め込んでセッション維持メッセージを作成する（ステップＳＴ８０３）。次に、パケット送信部６０５は、作成したセッション維持メッセージをアクセスポイント制御装置１０２に送信する（ステップＳＴ８０４）。
【００４３】
次に、本発明の一実施の形態に係るアクセスポイント制御システム１００のアクセスポイント制御装置１０２がセッション維持メッセージを受信した場合の処理について、図面を参照して詳細に説明する。図９は、本発明の一実施の形態に係るアクセスポイント制御システム１００のアクセスポイント制御装置１０２がセッション維持メッセージを受信した場合の処理を示すフロー図である。
【００４４】
図９に示すように、ステップＳＴ９０１においてパケット受信部４０１は、アクセスポイント装置からのパケットを受信したかを判断する。ステップＳＴ９０１においてアクセスポイント装置からのパケットを受信した時に、アクセスポイント制御パケット抽出部４０２は、アクセスポイント装置からのパケットのＥｔｈｅｒＴｙｐｅを解析する（ステップＳＴ９０２）。
【００４５】
次に、アクセスポイント制御パケット処理部４０４は、アクセスポイント制御パケットがセッション維持メッセージであるか解析する（ステップＳＴ９０３）。アクセスポイント制御パケット処理部４０４は、セッション維持メッセージを解析してＡＰのＩＤと統計情報を取得し、エレメントから統計情報種別（ＤａｔａＴｙｐｅ）と統計情報値（ＤａｔａＶａｌｕｅ）を抽出する（ステップＳＴ９０４）。
【００４６】
次に、アクセスポイント制御パケット処理部４０４は、エレメントから抽出した統計情報を全アクセスポイント統計情報テーブル４０３に格納する（ステップＳＴ９０５）。セッション維持処理管理部４０５は、アクセスポイント装置とのアクセスポイント管理セッションの維持処理を行う（ステップＳＴ９０６）。
【産業上の利用可能性】
【００４７】
本発明は、余分なメッセージのやりとりを行わず、すなわち、余分なＣＰＵ資源及びネットワーク帯域資源を浪費せずに、アクセスポイント装置の統計情報を伝達できる効果を有し、アクセスポイント制御システム及びアクセスポイント制御方法に有用である。
【図面の簡単な説明】
【００４８】
【図１】本発明の一実施の形態に係るアクセスポイント制御システムの構成を示す図
【図２】本発明の一実施の形態に係るアクセスポイント制御システムの統計情報取得処理を示すシーケンス図
【図３】本発明の一実施の形態に係るアクセスポイント制御システムにおいて用いられるセッション維持メッセージのフレームフォーマットを示す図
【図４】本発明の一実施の形態に係るアクセスポイント制御システムのアクセスポイント制御装置の構成を詳細に示すブロック図
【図５】本発明の一実施の形態に係るアクセスポイント制御システムのアクセスポイント制御装置の全アクセスポイント統計情報テーブルを示す図
【図６】本発明の一実施の形態に係るアクセスポイント制御システムのアクセスポイント装置の構成を詳細に示すブロック図
【図７】本発明の一実施の形態に係るアクセスポイント制御システムのアクセスポイント装置のアクセスポイント単体統計情報テーブルを示す図
【図８】本発明の一実施の形態に係るアクセスポイント制御システムのアクセスポイント装置がセッション維持メッセージを送信する場合の処理を示すフロー図
【図９】本発明の一実施の形態に係るアクセスポイント制御システムのアクセスポイント制御装置がセッション維持メッセージを受信した場合の処理を示すフロー図
【図１０】従来のアクセスポイント制御システムの構成を示す図
【図１１】従来のアクセスポイント制御システムの動作を示すシーケンス図
【符号の説明】
【００４９】
１００  アクセスポイント制御システム
１０１−１〜１０１−３  アクセスポイント装置
１０２  アクセスポイント制御装置
１０３  ネットワーク管理装置
１０４−１〜１０４−４  通信端末装置
４０１  パケット受信部
４０２  アクセスポイント制御パケット抽出部
４０３  全アクセスポイント統計情報テーブル
４０４  アクセスポイント制御パケット処理部
４０５、６０２  セッション維持処理管理部
６０１  アクセスポイント単体統計情報テーブル
６０３  統計情報取得部
６０４  セッション維持メッセージ作成部
６０５  パケット送信部
【図１】
2006025364.tif 000003
【図２】
2006025364.tif 000004
【図３】
2006025364.tif 000005
【図４】
2006025364.tif 000006
【図５】
2006025364.tif 000007
【図６】
2006025364.tif 000008
【図７】
2006025364.tif 000009
【図８】
2006025364.tif 000010
【図９】
2006025364.tif 000011
【図１０】
2006025364.tif 000012
【図１１】
2006025364.tif 000013